(57)【要約】【課題】同一のボタン電話端末の親子間で呼出通話を実現する。【解決手段】ボタン電話装置は、外線２に接続される主装置１０とボタン電話端末とからなり、ボタン電話端末は無線親機２０と無線子機３０とからなる。無線親機２０あるいは主装置１０は、親子間の呼出または接続を検出する親子間呼出接続検出手段を有し、主装置１０は、親子間呼出接続検出手段により親子間の呼出または接続が検出されたとき、ボタン電話端末が親子間呼出中または親子間接続中である旨を管理する親子間呼出接続管理手段を有する。【選択図】        図１
2004254107.tif 000002
【特許請求の範囲】
【請求項１】
外線に接続される主装置とこの主装置に接続されかつ制御されるボタン電話端末とからなり、前記ボタン電話端末は通信機能を有する無線親機とこの無線親機に収容される無線子機とからなるボタン電話装置において、
前記無線親機とこの無線親機に収容される前記無線子機との間の親子間の呼出または接続を検出する親子間呼出接続検出手段と、
この親子間呼出接続検出手段により前記親子間の呼出または接続が検出されたとき、前記ボタン電話端末が親子間呼出中または親子間接続中である旨を管理する親子間呼出接続管理手段とを備えることを特徴とするボタン電話装置。
【請求項２】
請求項１記載のボタン電話装置において、
イベントの発生に応じて前記親子間の呼出または接続が必要な場合に、この親子間の呼出または接続が可能か否かを判定する判定手段と、
この判定手段により前記親子間の呼出または接続が可能と判定された場合に、前記親子間を呼出状態または接続状態に移行させる制御手段とを備えることを特徴とするボタン電話装置。
【請求項３】
請求項１記載のボタン電話装置において、
前記親子間呼出接続検出手段は、前記無線親機に設けられ、前記親子間呼出接続管理手段は、前記主装置に設けられることを特徴とするボタン電話装置。
【請求項４】
請求項１記載のボタン電話装置において、
前記親子間呼出接続検出手段と前記親子間呼出接続管理手段とは、前記主装置に設けられることを特徴とするボタン電話装置。
【請求項５】
請求項２記載のボタン電話装置において、
前記判定手段は、前記無線親機に設けられることを特徴とするボタン電話装置。
【請求項６】
請求項２記載のボタン電話装置において、
前記判定手段は、前記主装置に設けられることを特徴とするボタン電話装置。
【請求項７】
請求項２記載のボタン電話装置において、
前記制御手段は、前記無線親機に設けられることを特徴とするボタン電話装置。
【請求項８】
請求項２記載のボタン電話装置において、
前記制御手段は、前記主装置に設けられることを特徴とするボタン電話装置。
【請求項９】
請求項２記載のボタン電話装置において、
前記制御手段は、前記親子間接続中のボタン電話端末に対して前記主装置に接続された他のボタン電話端末あるいは外線から着信があった場合、前記親子間接続中のボタン電話端末を話中着信状態にすることを特徴とするボタン電話装置。
【発明の詳細な説明】
【０００１】
【発明の属する技術分野】
本発明は、ボタン電話端末の親子間で呼出通話を実現するボタン電話装置に関するものである。
【０００２】
【従来の技術】
ボタン電話装置は、外線に接続される主装置とこの主装置に接続されかつ制御されるコードレスタイプのボタン電話端末とからなり、ボタン電話端末は無線親機とこの無線親機に収容される無線子機とからなる。無線親機は、無線回線を介して無線子機と通信を行う。従来、単独のコードレス電話機では親機から子機を呼び出す機能があり（例えば、特許文献１参照）、ボタン電話装置においても、このような機能の実現が望まれている。なお、出願人は、本明細書に記載した先行技術文献情報で特定される先行技術文献以外には、本発明に関連する先行技術文献を出願時までに発見するには至らなかった。
【０００３】
【特許文献１】
特開平５−８３３３８号公報
【０００４】
【発明が解決しようとする課題】
しかしながら、従来のボタン電話装置では、主装置が無線親機と無線子機とからなるボタン電話端末を１つの電話機として管理し、主装置を通してボタン電話端末間の通話やボタン電話端末と外線との間の通話を実現しており、同一のボタン電話端末の親子間の呼出や通話を管理していないため、親子間の呼出通話ができないという問題点があった。
本発明は、上記課題を解決するためになされたもので、その目的は、ボタン電話装置において同一のボタン電話端末の親子間で呼出通話を実現することにある。
【０００５】
【課題を解決するための手段】
本発明は、外線に接続される主装置とこの主装置に接続されかつ制御されるボタン電話端末とからなり、前記ボタン電話端末は通信機能を有する無線親機とこの無線親機に収容される無線子機とからなるボタン電話装置において、前記無線親機とこの無線親機に収容される前記無線子機との間の親子間の呼出または接続を検出する親子間呼出接続検出手段と、この親子間呼出接続検出手段により前記親子間の呼出または接続が検出されたとき、前記ボタン電話端末が親子間呼出中または親子間接続中である旨を管理する親子間呼出接続管理手段とを備えるものである。
また、本発明のボタン電話装置の１構成例は、イベントの発生に応じて前記親子間の呼出または接続が必要な場合に、この親子間の呼出または接続が可能か否かを判定する判定手段と、この判定手段により前記親子間の呼出または接続が可能と判定された場合に、前記親子間を呼出状態または接続状態に移行させる制御手段とを備えるものである。イベントの例としては、内線番号のボタン操作あるいは内線呼出ボタンの操作、親子間の呼出に対する無線親機または無線子機の応答などがある。
【０００６】
また、本発明のボタン電話装置の１構成例において、前記親子間呼出接続検出手段は、前記無線親機に設けられ、前記親子間呼出接続管理手段は、前記主装置に設けられるものである。
また、本発明のボタン電話装置の１構成例において、前記親子間呼出接続検出手段と前記親子間呼出接続管理手段とは、前記主装置に設けられるものである。また、本発明のボタン電話装置の１構成例において、前記判定手段は、前記無線親機に設けられるものである。
また、本発明のボタン電話装置の１構成例において、前記判定手段は、前記主装置に設けられるものである。
また、本発明のボタン電話装置の１構成例において、前記制御手段は、前記無線親機に設けられるものである。
また、本発明のボタン電話装置の１構成例において、前記制御手段は、前記主装置に設けられるものである。
【０００７】
また、本発明のボタン電話装置の１構成例において、前記制御手段は、前記親子間接続中のボタン電話端末に対して前記主装置に接続された他のボタン電話端末あるいは外線から着信があった場合、前記親子間接続中のボタン電話端末を話中着信状態にするものである。
【０００８】
【発明の実施の形態】
［第１の実施の形態］
以下、本発明の実施の形態について図面を参照して詳細に説明する。図１は本発明の第１の実施の形態となる電話システムの構成を示すブロック図である。本実施の形態の電話システムは、ボタン電話装置１と、図示しない通信網と、この通信網とボタン電話装置１とを接続する外線２とから構成される。
【０００９】
外線２は、ボタン電話装置１と通信相手（不図示）との通信を実現する回線であり、例えばインターネットなどのパケット通信回線のほか、専用回線、電話回線あるいはＩＳＤＮ回線などが用いられる。ボタン電話装置１は、外線２に接続される主装置１０と、この主装置１０に接続されかつ制御されるボタン電話端末とから構成される。そして、ボタン電話端末は、主装置１０との通信機能を有する無線親機２０（２０−１〜２０−ｎ）と、この無線親機２０に収容される無線子機３０（３０−１〜３０−ｎ）からなる。無線親機２０とこれに収容される無線子機３０には、予め同一のＩＤコードが割り当てられ、また同一の内線番号が割り当てられている。
【００１０】
外線２と無線親機２０とを収容する主装置１０は、外線２を介して通信網と接続され、この通信網を介して通信相手と通信を行うことにより、音声通話などの通信サービスを無線親機２０あるいは無線子機３０の利用者へ提供する。この主装置１０は、外線２との接続制御を行う外線インタフェース部１０１と、無線親機２０との接続制御を行う内線インタフェース部１０２と、外線インタフェース部１０１と内線インタフェース部１０２との間に選択的に通話路を閉成して、外線２と無線親機２０とを選択的に接続するスイッチ１０３と、主装置１０の制御全般を一括して行うＣＰＵ１０４と、メモリ１０５とを有している。
【００１１】
メモリ１０５には、ＣＰＵ１０４の動作に必要なプログラム、自装置のＩＤコード、自装置が収容するボタン電話端末（無線親機２０および無線子機３０）のＩＤコード、ボタン電話端末の内線番号、ボタン電話端末の状態情報、およびボタン電話端末の機能設定情報が記憶されている。ＣＰＵ１０４は、メモリ１０５に格納されているプログラムと情報に従って動作し、主装置全体を制御する。
【００１２】
無線親機２０は、内線伝送路４０（４０−１〜４０−Ｎ）を介して主装置１０と通信し、また無線回線５０（５０−１〜５０−Ｎ）を介して無線子機３０と通信する。この無線親機２０は、主装置１０との接続制御を行う内線インタフェース部２０１と、自機が収容する無線子機３０との接続制御を行う無線送受信部２０２と、アンテナ２０３と、無線親機２０の制御全般を一括して行うＣＰＵ２０４と、無線親機２０に対して利用者が指示を与えるための操作部２０５と、利用者に対して情報を提示するための表示部２０６と、メモリ２０７と、各種の信号音を発生するトーンリンガ２０８と、増幅器２０９と、スピーカ２１０とを有している。
【００１３】
メモリ２０７には、ＣＰＵ２０４の動作に必要なプログラム、自機のＩＤコード、自機に割り当てられた内線番号、および子機の状態情報が記憶されている。ＣＰＵ２０４は、メモリ２０７に格納されているプログラムと情報に従って動作し、無線親機全体を制御する。
【００１４】
無線子機３０は、無線回線５０を介して無線親機２０と通信する。この無線子機３０は、自機が収容される無線親機２０との接続制御を行う無線送受信部３０１と、アンテナ３０２と、無線子機３０の制御全般を一括して行うＣＰＵ３０３と、無線子機３０に対して利用者が指示を与えるための操作部３０４と、利用者に対して情報を提示するための表示部３０５と、メモリ３０６と、各種の信号音を発生するトーンリンガ３０７と、増幅器３０８と、スピーカ３０９とを有している。
【００１５】
メモリ３０６には、ＣＰＵ３０３の動作に必要なプログラム、および自機のＩＤコードが記憶されている。ＣＰＵ３０３は、メモリ３０６に格納されているプログラムと情報に従って動作し、無線子機全体を制御する。
【００１６】
次に、本実施の形態の電話システムの動作を説明する。本実施の形態では、無線親機２０とこれに収容される無線子機３０に割り当てられた内線番号を「１０」とする。図２は無線子機３０から無線親機２０を呼び出す動作を示すシーケンス図、図３は無線親機２０から無線子機３０を呼び出す動作を示すシーケンス図である。
【００１７】
まず、無線子機３０から無線親機２０を呼び出す動作を図２を用いて説明する。無線子機３０の利用者は、無線親機２０の利用者と通話する場合、無線子機３０の操作部３０４に設けられた内線番号「１０」のボタンを操作する（図２ステップＳ１０１）。この操作に応じて、無線子機３０のＣＰＵ３０３は、メモリ３０６から自機のＩＤコードを読み出し、このＩＤコードと内線番号「１０」の呼出情報とを無線送受信部３０１を介して無線親機２０に送信する（ステップＳ１０２）。
【００１８】
無線親機２０のＣＰＵ２０４は、無線送受信部２０２を介して無線子機３０からのＩＤコードを受信すると、このＩＤコードをメモリ２０７に記憶されている自機のＩＤコードと比較する。ＣＰＵ２０４は、ＩＤコードが一致しない場合、自機が収容する無線子機３０からの送信ではないと判断して無視し、ＩＤコードが一致する場合、自機が収容する無線子機３０からの送信と判断して、無線子機３０からの呼出情報を受け付ける。
【００１９】
ＩＤコードが一致した場合、無線親機２０のＣＰＵ２０４は、親子間呼出要否判定手段として、親子間の呼出が必要か否かを判定する。すなわち、ＣＰＵ２０４は、無線子機３０から受信した呼出情報が指定する着信内線番号「１０」とメモリ２０７に記憶されている自機の内線番号とを比較し（ステップＳ１０３）、内線番号が一致する場合、親子間の呼出（ここでは、無線子機３０から無線親機２０への呼出）が必要と判定する。内線番号が一致しなかった場合、呼出情報は無線親機２０から主装置１０へ転送され、呼出情報に応じて主装置１０から他の無線親機２０が呼び出される。
【００２０】
親子間の呼出が必要と判定した場合、無線親機２０のＣＰＵ２０４は、親子間呼出可否判定手段として、親子間の呼出が可能か否かを判定する（ステップＳ１０４）。無線親機２０が例えば外線通話中である場合には、親子間の呼出が不可能と判定する。ＣＰＵ２０４は、親子間の呼出が可能と判定した場合、親子間を呼出状態に移行させる制御手段として動作する。すなわち、ＣＰＵ２０４は、無線子機３０からの呼出情報に応じてトーンリンガ２０８を駆動してスピーカ２１０から内線着信音を鳴動させる（ステップＳ１０５）。
【００２１】
なお、無線親機２０のＣＰＵ２０４は、親子間の呼出が可能と判定した後、親子間呼出接続検出手段として、親子間呼出中であることを示す親子間呼出状態情報と自機のＩＤコードとを内線インタフェース部２０１を介して主装置１０に送信してもよい。主装置１０のＣＰＵ１０４は、内線インタフェース部１０２を介して受信したＩＤコードと親子間呼出状態情報とを対応付けてメモリ１０５に格納する。これにより、親子間呼出接続管理手段である主装置１０は、このＩＤコードのボタン電話端末が親子間呼出中であることを認識することができる。
【００２２】
次に、無線親機２０のＣＰＵ２０４は、親子間接続要否判定手段として、親子間の接続が必要か否かを判定する。すなわち、ＣＰＵ２０４は、無線親機２０の利用者が操作部２０５を使ってオフフック操作をした場合（ステップＳ１０６）、親子間の接続が必要と判定する。親子間の接続が必要と判定した場合、ＣＰＵ２０４は、親子間を接続状態に移行させる制御手段として、内線着信音の鳴動を停止させ、無線子機３０との間に音声通話路を形成する（ステップＳ１０７）。こうして、親子間が接続され、親子間通話が開始される。
【００２３】
なお、ＣＰＵ２０４は、親子間の接続が必要と判定した後、親子間接続可否判定手段として、親子間の接続が可能か否かを判定し、可能と判定した場合に親子間を接続するようにしてもよい。
【００２４】
親子間通話の開始後、無線親機２０のＣＰＵ２０４は、親子間呼出接続検出手段として、親子間通話中であることを示す親子間通話状態情報と自機のＩＤコードとを内線インタフェース部２０１を介して主装置１０に送信する（ステップＳ１０８）。主装置１０のＣＰＵ１０４は、内線インタフェース部１０２を介して受信したＩＤコードと親子間通話状態情報とを対応付けてメモリ１０５に格納する。これにより、主装置１０は、このＩＤコードのボタン電話端末が親子間接続中であることを認識することができる。
【００２５】
無線子機３０あるいは無線親機２０でオンフック操作が行われると、親子間通話が終了し、無線親機２０のＣＰＵ２０４は、親子間通話が終了したことを示す終話状態情報と自機のＩＤコードとを内線インタフェース部２０１を介して主装置１０に送信する（ステップＳ１０９）。ＩＤコードと終話状態情報とを受信した主装置１０のＣＰＵ１０４は、このＩＤコードに対応する親子間通話状態情報をメモリ１０５から削除する。
以上の動作により、無線子機３０の内線番号「１０」のボタンを使って無線親機２０を呼び出し、親子間通話を行うことができる。
【００２６】
次に、無線親機２０から無線子機３０を呼び出す動作を図３を用いて説明する。無線親機２０の利用者は、無線子機３０の利用者と通話する場合、無線親機２０の操作部２０５に設けられた内線番号「１０」のボタンを操作する（図３ステップＳ２０１）。
【００２７】
この操作に応じて、無線親機２０のＣＰＵ２０４は、親子間呼出要否判定手段として、親子間の呼出が必要か否かを判定する。すなわち、ＣＰＵ２０４は、着信内線番号「１０」とメモリ２０７に記憶されている自機の内線番号とを比較し（ステップＳ２０２）、内線番号が一致する場合、親子間の呼出（ここでは、無線親機２０から無線子機３０への呼出）が必要と判定する。
【００２８】
親子間の呼出が必要と判定した場合、無線親機２０のＣＰＵ２０４は、親子間呼出可否判定手段として、親子間の呼出が可能か否かを判定する（ステップＳ２０３）。無線子機３０が例えば外線通話中である場合には、親子間の呼出が不可能と判定する。
【００２９】
親子間の呼出が可能な場合、無線親機２０のＣＰＵ２０４は、親子間を呼出状態に移行させる制御手段として、内線番号「１０」の呼出を無線親機２０から無線子機３０への呼出と判断し、メモリ２０７から自機のＩＤコードを読み出して、このＩＤコードと内線番号「１０」の呼出情報とを無線送受信部２０２を介して無線子機３０に送信する（ステップＳ２０４）。ステップＳ２０２において内線番号が一致しなかった場合、呼出情報は無線親機２０から主装置１０に送信され、呼出情報に応じて主装置１０から他の無線親機２０が呼び出される。
【００３０】
なお、無線親機２０のＣＰＵ２０４は、親子間の呼出が可能と判定した後、親子間呼出接続検出手段として、自機のＩＤコードと親子間呼出状態情報とを主装置１０に送信してもよい。主装置１０のＣＰＵ１０４は、受信したＩＤコードと親子間呼出状態情報とを対応付けてメモリ１０５に格納する。これにより、主装置１０は、このＩＤコードのボタン電話端末が親子間呼出中であることを認識することができる。
【００３１】
次に、無線子機３０のＣＰＵ３０３は、無線送受信部３０１を介して無線親機２０からのＩＤコードを受信すると、このＩＤコードをメモリ３０６に記憶されている自機のＩＤコードと比較する。ＣＰＵ３０３は、ＩＤコードが一致しない場合、自機が収容される無線親機２０からの送信ではないと判断して無視し、ＩＤコードが一致する場合、自機が収容される無線親機２０からの送信と判断して、無線親機２０からの呼出情報を受け付ける。
【００３２】
ＩＤコードが一致した場合、無線子機３０のＣＰＵ３０３は、呼出情報に応じて、トーンリンガ３０７を駆動しスピーカ３０９から内線着信音を鳴動させる（ステップＳ２０５）。無線子機３０の利用者が操作部３０４を使ってオフフック操作をすると（ステップＳ２０６）、ＣＰＵ３０３は、自機のＩＤコードとオフフック情報とを無線送受信部３０１を介して無線親機２０に送信する（ステップＳ２０７）。
【００３３】
無線親機２０のＣＰＵ２０４は、親子間接続要否判定手段として、親子間の接続が必要か否かを判定する。ＣＰＵ２０４は、無線子機３０からオフフック情報を受信した場合、親子間の接続が必要と判定する。親子間の接続が必要と判定した場合、ＣＰＵ２０４は、親子間を接続状態に移行させる制御手段として、無線子機３０との間に音声通話路を形成する（ステップＳ２０８）。なお、ＣＰＵ２０４は、無線子機３０からオフフック情報を受信した後、親子間接続可否判定手段として、親子間の接続が可能か否かを判定し、可能と判定した場合に親子間を接続するようにしてもよい。
【００３４】
ステップＳ２０９，Ｓ２１０の動作は、それぞれステップＳ１０８，Ｓ１０９と同じである。主装置１０のＣＰＵ１０４は、無線親機２０からＩＤコードと親子間通話状態情報とを受信した場合、これらをメモリ１０５に格納し、また無線親機２０からＩＤコードと終話状態情報とを受信した場合、ＩＤコードに対応する親子間通話状態情報をメモリ１０５から削除する。こうして、無線親機２０の内線番号「１０」のボタンを使って無線子機３０を呼び出し、親子間通話を行うことができる。
【００３５】
従来のボタン電話装置では、主装置１０の介在なしに親子間の呼出や通話を実現できたとしても、このような呼出通話は主装置１０の管理外の動作なので、親子間呼出通話中のボタン電話端末に対して主装置１０で管理される正規のイベント（例えば、ボタン電話端末に対する着信）が発生すると、イベントに応じてボタン電話端末で実行されるべき動作と主装置１０で管理されていないボタン電話端末の動作とが衝突してしまい、主装置１０が適切な処理を行うことができなくなってしまう。また、親子間の呼出通話を主装置１０が管理できないため、各ボタン電話端末の電源を切断するというイベントが発生すると、あるボタン電話端末で親子間通話の最中であるにも拘わらず、全てのボタン電話端末の電源を落としてしまうという問題が生じる。したがって、主装置１０の介在なしに親子間呼出通話を行うことはできない。
【００３６】
これに対して、本実施の形態では、親子間の呼出通話を主装置１０が管理できるようにしたので、親子間呼出通話中のボタン電話端末に対してイベントが発生したとしても、主装置１０は適切な処理を行うことができる。結果として、本実施の形態では、主装置１０の管理の下に同一のボタン電話端末の親子間呼出通話を実現することができる。なお、親子間呼出通話中のボタン電話端末に対して着信が発生したときの動作については後述する。
【００３７】
［第２の実施の形態］
次に、本発明の第２の実施の形態について説明する。本実施の形態は、無線親機２０と無線子機３０にそれぞれ設けられた内線呼出ボタンを使って無線親機２０あるいは無線子機３０を呼び出すものである。本実施の形態においても、電話システムの構成は第１の実施の形態と同じであるので、図１の符号を用いて説明する。
【００３８】
まず、無線子機３０から無線親機２０を呼び出す動作を図４を用いて説明する。無線子機３０の利用者は、無線親機２０の利用者と通話する場合、無線子機３０の操作部３０４に設けられた内線呼出ボタンを操作する（図４ステップＳ３０１）。この操作に応じて、無線子機３０のＣＰＵ３０３は、メモリ３０６から自機のＩＤコードを読み出し、このＩＤコードと親機呼出情報とを無線送受信部３０１を介して無線親機２０に送信する（ステップＳ３０２）。
【００３９】
無線親機２０のＣＰＵ２０４は、無線送受信部２０２を介して無線子機３０からのＩＤコードを受信すると、このＩＤコードをメモリ２０７に記憶されている自機のＩＤコードと比較する。ＣＰＵ２０４は、ＩＤコードが一致する場合、自機が収容する無線子機３０からの送信と判断して、無線子機３０からの親機呼出情報を受け付ける。
【００４０】
ＩＤコードが一致した場合、無線親機２０のＣＰＵ２０４は、親子間呼出要否判定手段として、親子間の呼出が必要か否かを判定する。ＣＰＵ２０４は、無線子機３０から受け付けた情報が親機呼出情報の場合、親子間の呼出（ここでは、無線子機３０から無線親機２０への呼出）が必要と判定する。親子間の呼出が必要と判定した場合、ＣＰＵ２０４は、親子間呼出可否判定手段として、親子間の呼出が可能か否かを判定する（ステップＳ３０３）。
【００４１】
無線親機２０のＣＰＵ２０４は、親子間の呼出が可能と判定した場合、親子間を呼出状態に移行させる制御手段として、無線子機３０から受信した親機呼出情報に応じてスピーカ２１０から内線着信音を鳴動させる（ステップＳ３０４）。このとき、ＣＰＵ２０４は、第１の実施の形態と同様に、自機のＩＤコードと親子間呼出状態情報とを主装置１０に送信してもよい。ステップＳ３０５，Ｓ３０６，Ｓ３０７，Ｓ３０８の動作は、それぞれステップＳ１０６，Ｓ１０７，Ｓ１０８，Ｓ１０９と同じである。
以上の動作により、無線子機３０の内線呼出ボタンを使って無線親機２０を呼び出し、親子間通話を行うことができる。
【００４２】
なお、無線親機２０のＣＰＵ２０４は、第１の実施の形態と同様に、ステップＳ３０５において親子間の接続が必要と判定した後、親子間接続可否判定手段として、親子間の接続が可能か否かを判定し、可能と判定した場合に親子間を接続するようにしてもよい。
【００４３】
次に、無線親機２０から無線子機３０を呼び出す動作を図５を用いて説明する。無線親機２０の利用者は、無線子機３０の利用者と通話する場合、無線親機２０の操作部２０５に設けられた内線呼出ボタンを操作する（図５ステップＳ４０１）。この操作に応じて、無線親機２０のＣＰＵ２０４は、親子間呼出要否判定手段として、親子間の呼出が必要か否かを判定する。ＣＰＵ２０４は、内線呼出ボタンが操作された場合、親子間の呼出（ここでは、無線親機２０から無線子機３０への呼出）が必要と判定する。
【００４４】
親子間の呼出が必要と判定した場合、無線親機２０のＣＰＵ２０４は、親子間呼出可否判定手段として、親子間の呼出が可能か否かを判定する（ステップＳ４０２）。ＣＰＵ２０４は、親子間の呼出が可能な場合、親子間を呼出状態に移行させる制御手段として、メモリ２０７から自機のＩＤコードを読み出し、このＩＤコードと子機呼出情報とを無線送受信部２０２を介して無線子機３０に送信する（ステップＳ４０３）。なお、ＣＰＵ２０４は、第１の実施の形態と同様に、親子間の呼出が可能と判定した後、親子間呼出接続検出手段として、自機のＩＤコードと親子間呼出状態情報とを主装置１０に送信してもよい。
【００４５】
次に、無線子機３０のＣＰＵ３０３は、無線送受信部３０１を介して無線親機２０からのＩＤコードを受信すると、このＩＤコードをメモリ３０６に記憶されている自機のＩＤコードと比較する。ＣＰＵ３０３は、ＩＤコードが一致する場合、自機が収容される無線親機２０からの送信と判断して、無線親機２０からの子機呼出情報を受け付ける。
【００４６】
ＩＤコードが一致した場合、無線子機３０のＣＰＵ３０３は、無線親機２０から受信した子機呼出情報に応じて、スピーカ３０９から内線着信音を鳴動させる（ステップＳ４０４）。ステップＳ４０５，Ｓ４０６，Ｓ４０７，Ｓ４０８，Ｓ４０９の動作は、それぞれステップＳ２０６，Ｓ２０７，Ｓ２０８，Ｓ２０９，Ｓ２１０と同じである。
以上の動作により、無線親機２０の内線呼出ボタンを使って無線子機３０を呼び出し、親子間通話を行うことができる。
【００４７】
なお、無線親機２０のＣＰＵ２０４は、第１の実施の形態と同様に、無線子機３０からオフフック情報を受信した後、親子間接続可否判定手段として、親子間の接続が可能か否かを判定し、可能と判定した場合に親子間を接続するようにしてもよい。
【００４８】
［第３の実施の形態］
次に、本発明の第３の実施の形態について説明する。本実施の形態においても、電話システムの構成は第１の実施の形態と同じであるので、図１の符号を用いて説明する。第１の実施の形態では、無線親機２０が親子間呼出接続検出手段、判定手段および制御手段を構成し、主装置１０が親子間呼出接続管理手段を構成していたが、本実施の形態では、主装置１０が親子間呼出接続検出手段、親子間呼出接続管理手段、判定手段および制御手段を構成する。
【００４９】
まず、無線子機３０から無線親機２０を呼び出す動作を図６を用いて説明する。無線子機３０の利用者は、無線親機２０の利用者と通話する場合、無線子機３０の内線番号「１０」のボタンを操作する（図６ステップＳ５０１）。この操作に応じて、無線子機３０のＣＰＵ３０３は、メモリ３０６から自機のＩＤコードを読み出し、このＩＤコードと内線番号「１０」の呼出情報とを無線送受信部３０１を介して無線親機２０に送信する（ステップＳ５０２）。
【００５０】
無線親機２０のＣＰＵ２０４は、無線送受信部２０２を介して無線子機３０からのＩＤコードを受信すると、このＩＤコードをメモリ２０７に記憶されている自機のＩＤコードと比較する。ＣＰＵ２０４は、ＩＤコードが一致しない場合、自機が収容する無線子機３０からの送信ではないと判断して無視し、ＩＤコードが一致する場合、自機が収容する無線子機３０からの送信と判断して、無線子機３０からのＩＤコードと呼出情報とを内線インタフェース部２０１を介して主装置１０に転送する（ステップ５０３）。
【００５１】
主装置１０のＣＰＵ１０４は、内線インタフェース部１０２を介して無線親機２０からのＩＤコードを受信すると、親子間呼出要否判定手段として、親子間の呼出が必要か否かを判定する。つまり、ＣＰＵ１０４は、無線親機２０から受信したＩＤコードに対応する内線番号、すなわち発信内線番号をメモリ１０５から取得し、無線親機２０から受信した呼出情報が指定する着信内線番号「１０」とメモリ１０５から取得した発信内線番号とを比較し（ステップＳ５０４）、内線番号が一致する場合、親子間の呼出（ここでは、無線子機３０から無線親機２０への呼出）が必要と判定する。
【００５２】
親子間の呼出が必要と判定した場合、主装置１０のＣＰＵ１０４は、親子間呼出可否判定手段として、親子間の呼出が可能か否かを判定する（ステップＳ５０５）。受信したＩＤコードのボタン電話端末が例えば外線通話中である場合には、親子間の呼出が不可能と判定する。ＣＰＵ１０４は、親子間の呼出が可能と判定した場合、親子間を呼出状態に移行させる制御手段として、受信したＩＤコードと内線番号「１０」の着信情報とを無線親機２０に送信する（ステップＳ５０６）。
【００５３】
そして、主装置１０のＣＰＵ１０４は、親子間呼出接続検出手段および親子間呼出接続管理手段として、受信したＩＤコードと親子間呼出状態情報とを対応付けてメモリ１０５に格納する。これにより、主装置１０は、このＩＤコードのボタン電話端末が親子間呼出中であることを認識することができる。なお、ステップＳ５０４において内線番号が一致しなかった場合、ＣＰＵ１０４は、着信内線番号に対応する他の無線親機２０に着信情報を送信する。
【００５４】
次に、無線親機２０のＣＰＵ２０４は、内線インタフェース部２０１を介して主装置１０からのＩＤコードを受信すると、このＩＤコードをメモリ２０７に記憶されている自機のＩＤコードと比較する。ＣＰＵ２０４は、ＩＤコードが一致しない場合、自機宛ての送信ではないと判断して無視する。一方、ＩＤコードが一致した場合、ＣＰＵ２０４は、主装置１０からの着信情報を受け付けるが、自機が収容する無線子機３０から内線番号「１０」の呼出情報を既に受け付けているので、内線番号「１０」の着信情報が自機への着信を示すものと判断して、スピーカ２１０から内線着信音を鳴動させる（ステップＳ５０７）。
【００５５】
無線親機２０の利用者がオフフック操作をすると（ステップＳ５０８）、無線親機２０のＣＰＵ２０４は、自機のＩＤコードとオフフック情報とを内線インタフェース部２０１を介して主装置１０に送信する（ステップＳ５０９）。主装置１０のＣＰＵ１０４は、親子間接続要否判定手段として、親子間の接続が必要か否かを判定する。すなわち、ＣＰＵ１０４は、無線親機２０からオフフック情報を受信した場合、親子間の接続が必要と判定する。
【００５６】
親子間の接続が必要と判定した場合、主装置１０のＣＰＵ１０４は、親子間を接続状態に移行させる制御手段として、親子間通話の実行を無線親機２０に指示する（ステップＳ５１０）。なお、ＣＰＵ１０４は、親子間の接続が必要と判定した後、親子間接続可否判定手段として、親子間の接続が可能か否かを判定し、可能と判定した場合に親子間を接続するようにしてもよい。
【００５７】
親子間通話の実行を無線親機２０に指示した後、主装置１０のＣＰＵ１０４は、親子間呼出接続検出手段および親子間呼出接続管理手段として、無線親機２０から受信したＩＤコードと親子間通話状態情報とを対応付けてメモリ１０５に格納する。これにより、主装置１０は、このＩＤコードのボタン電話端末が親子間接続中であることを認識することができる。
【００５８】
次に、無線親機２０のＣＰＵ２０４は、主装置１０の指示により、内線着信音の鳴動を停止させて、自機が収容する無線子機３０との間に音声通話路を形成する（ステップＳ５１１）。無線子機３０あるいは無線親機２０でオンフック操作が行われると、親子間通話が終了し、無線親機２０のＣＰＵ２０４は、親子間通話が終了したことを示す終話状態情報と自機のＩＤコードとを内線インタフェース部２０１を介して主装置１０に送信する（ステップＳ５１２）。ＩＤコードと終話状態情報とを受信した主装置１０のＣＰＵ１０４は、このＩＤコードに対応する親子間通話状態情報をメモリ１０５から削除する。
以上の動作により、無線子機３０から主装置１０を介して無線親機２０を呼び出し、親子間通話を行うことができる。
【００５９】
次に、無線親機２０から無線子機３０を呼び出す動作を図７を用いて説明する。無線親機２０の利用者は、無線子機３０の利用者と通話する場合、無線親機２０の内線番号「１０」のボタンを操作する（図７ステップＳ６０１）。この操作に応じて、無線親機２０のＣＰＵ２０４は、メモリ２０７から自機のＩＤコードを読み出し、このＩＤコードと内線番号「１０」の呼出情報とを内線インタフェース部２０１を介して主装置１０に送信する（ステップＳ６０２）。
【００６０】
主装置１０のＣＰＵ１０４は、内線インタフェース部１０２を介して無線親機２０からのＩＤコードを受信すると、親子間呼出要否判定手段として、親子間の呼出が必要か否かを判定する。つまり、ＣＰＵ１０４は、無線親機２０から受信したＩＤコードに対応する内線番号、すなわち発信内線番号をメモリ１０５から取得し、無線親機２０から受信した呼出情報が指定する着信内線番号「１０」とメモリ１０５から取得した発信内線番号とを比較し（ステップＳ６０３）、内線番号が一致する場合、親子間の呼出（ここでは、無線親機２０から無線子機３０への呼出）が必要と判定する。
【００６１】
親子間の呼出が必要と判定した場合、主装置１０のＣＰＵ１０４は、親子間呼出可否判定手段として、親子間の呼出が可能か否かを判定する（ステップＳ６０４）。受信したＩＤコードのボタン電話端末が例えば外線通話中である場合には、親子間の呼出が不可能と判定する。ＣＰＵ１０４は、親子間の呼出が可能と判定した場合、親子間を呼出状態に移行させる制御手段として、受信したＩＤコードと内線番号「１０」の着信情報とを内線インタフェース部１０２を介して無線親機２０に送信する（ステップＳ６０５）。
【００６２】
そして、主装置１０のＣＰＵ１０４は、親子間呼出接続検出手段および親子間呼出接続管理手段として、受信したＩＤコードと親子間呼出状態情報とを対応付けてメモリ１０５に格納する。なお、ステップＳ６０３において内線番号が一致しなかった場合、ＣＰＵ１０４は、着信内線番号に対応する他の無線親機２０に着信情報を送信する。
【００６３】
次に、無線親機２０のＣＰＵ２０４は、内線インタフェース部２０１を介して主装置１０からのＩＤコードを受信すると、このＩＤコードをメモリ２０７に記憶されている自機のＩＤコードと比較する。ＣＰＵ２０４は、ＩＤコードが一致しない場合、自機宛ての送信ではないと判断して無視する。一方、ＩＤコードが一致した場合、ＣＰＵ２０４は、主装置１０からの着信情報を受け付けるが、自機が内線番号「１０」の呼出情報を送信したので、内線番号「１０」の着信情報が無線子機３０への着信を示すものと判断し、受信したＩＤコードと内線番号「１０」の着信情報とを無線送受信部２０２を介して無線子機３０へ転送する（ステップＳ６０６）。
【００６４】
無線子機３０のＣＰＵ３０３は、無線送受信部３０１を介して無線親機２０からのＩＤコードを受信すると、このＩＤコードをメモリ３０６に記憶されている自機のＩＤコードと比較する。ＣＰＵ３０３は、ＩＤコードが一致しない場合、自機が収容される無線親機２０からの送信ではないと判断して無視し、ＩＤコードが一致する場合、自機が収容される無線親機２０からの送信と判断して、無線親機２０からの着信情報を受け付ける。
【００６５】
ＩＤコードが一致した場合、無線子機３０のＣＰＵ３０３は、着信情報に応じてスピーカ３０９から内線着信音を鳴動させる（ステップＳ６０７）。無線子機３０の利用者がオフフック操作をすると（ステップＳ６０８）、ＣＰＵ３０３は、自機のＩＤコードとオフフック情報とを無線送受信部３０１を介して無線親機２０に送信する（ステップＳ６０９）。無線親機２０のＣＰＵ２０４は、受信したＩＤコードとオフフック情報とを内線インタフェース部２０１を介して主装置１０へ転送する（ステップＳ６１０）。
【００６６】
主装置１０のＣＰＵ１０４は、親子間接続要否判定手段として、親子間の接続が必要か否かを判定する。すなわち、ＣＰＵ１０４は、無線親機２０からオフフック情報を受信した場合、親子間の接続が必要と判定する。親子間の接続が必要と判定した場合、主装置１０のＣＰＵ１０４は、親子間を接続状態に移行させる制御手段として、親子間通話の実行を無線親機２０に指示する（ステップＳ６１１）。
【００６７】
親子間通話の実行を無線親機２０に指示した後、主装置１０のＣＰＵ１０４は、親子間呼出接続検出手段および親子間呼出接続管理手段として、無線親機２０から受信したＩＤコードと親子間通話状態情報とを対応付けてメモリ１０５に格納する。なお、ＣＰＵ１０４は、親子間の接続が必要と判定した後、親子間接続可否判定手段として、親子間の接続が可能か否かを判定し、可能と判定した場合に親子間を接続するようにしてもよい。
【００６８】
次に、無線親機２０のＣＰＵ２０４は、主装置１０の指示により、内線着信音の鳴動を停止させて、自機が収容する無線子機３０との間に音声通話路を形成する（ステップＳ６１２）。ステップＳ６１３の動作はステップＳ５１２と同じである。
以上の動作により、無線親機２０から主装置１０を介して無線子機３０を呼び出し、親子間通話を行うことができる。
【００６９】
なお、本実施の形態では、無線親機２０あるいは無線子機３０が応答した時点で、親子間通話中であることを主装置１０が認識できるので、親子間通話中であることを主装置１０に改めて通知する必要はない。
【００７０】
また、本実施の形態では、主装置１０のパスを通すことなく、親子間通話を実現しているが、主装置１０と無線親機２０間の通話路が複数チャネル有る場合には、主装置１０のパスを通して親子間通話を実現してもよい。主装置１０のパスを用いる場合の親子間の通話路の概要を図８に示す。図８の例では、主装置１０と無線親機２０間のｃｈ１，ｃｈ２の２つの通話チャネルのうち、ｃｈ１を使って無線親機２０と主装置１０とを接続し、ｃｈ２を使って無線子機３０と主装置１０とを無線親機２０を介して接続し、スイッチ１０３によってｃｈ１とｃｈ２とを接続することにより、無線親機２０と無線子機３０間に音声通話路を形成している。
【００７１】
また、第１〜第３の実施の形態では、着信音を鳴動させて親子間の呼出を行っているが、親子間で呼出を行う際に音声通話路を形成して発信側から着信側を音声で呼び出すようにしてもよい。
【００７２】
最後に、親子間通話中のボタン電話端末に対して着信が発生したときの動作について説明する。親子間通話中のボタン電話端末に対して主装置１０に接続された他のボタン電話端末または外線２から着信があった場合の動作としては、話中（ビジー）にする第１の動作と、話中着信にする第２の動作と、親子間通話を切断して着信にする第３の動作の３通りが考えられる。
【００７３】
制御手段（第１、第２の実施の形態では無線親機２０、第３の実施の形態では主装置１０）は、親子間通話中のボタン電話端末に対して他のボタン電話端末あるいは外線２から着信があった場合、主装置１０から着信の通知を受ける。ここで、第１の動作を採用する場合、制御手段は、親子間通話を継続させ、主装置１０が発信側に対してビジートーンを送出する。
【００７４】
一方、第２の動作を採用する場合、制御手段は、主装置１０から着信の通知を受けると、親子間通話を継続させたまま、親子間通話中のボタン電話端末の無線親機２０および無線子機３０から着信音を鳴動させる。
また、第３の動作を採用する場合、制御手段は、主装置１０から着信の通知を受けると、親子間通話中のボタン電話端末の親子間接続を切断して、このボタン電話端末の無線親機２０および無線子機３０から着信音を鳴動させる。
【００７５】
【発明の効果】
本発明によれば、無線親機とこの無線親機に収容される無線子機との間の親子間の呼出または接続を検出する親子間呼出接続検出手段と、この親子間呼出接続検出手段により親子間の呼出または接続が検出されたとき、ボタン電話端末が親子間呼出中または親子間接続中である旨を管理する親子間呼出接続管理手段とを設けることにより、親子間の呼出または接続を検出して管理するようにしたので、同一のボタン電話端末の親子間で呼出通話を実現することができる。
【図面の簡単な説明】
【図１】本発明の第１の実施の形態となる電話システムの構成を示すブロック図である。
【図２】本発明の第１の実施の形態において無線子機から無線親機を呼び出す動作を示すシーケンス図である。
【図３】本発明の第１の実施の形態において無線親機から無線子機を呼び出す動作を示すシーケンス図である。
【図４】本発明の第２の実施の形態において無線子機から無線親機を呼び出す動作を示すシーケンス図である。
【図５】本発明の第２の実施の形態において無線親機から無線子機を呼び出す動作を示すシーケンス図である。
【図６】本発明の第３の実施の形態において無線子機から無線親機を呼び出す動作を示すシーケンス図である。
【図７】本発明の第３の実施の形態において無線親機から無線子機を呼び出す動作を示すシーケンス図である。
【図８】本発明の第３の実施の形態において主装置のパスを用いる場合の親子間の通話路の概要を示す図である。
【符号の説明】
１…ボタン電話装置、２…外線、１０…主装置、２０…無線親機、３０…無線子機、４０…内線伝送路、５０…無線回線。
【図１】
2004254107.tif 000003
【図２】
2004254107.tif 000004
【図３】
2004254107.tif 000005
【図４】
2004254107.tif 000006
【図５】
2004254107.tif 000007
【図６】
2004254107.tif 000008
【図７】
2004254107.tif 000009
【図８】
2004254107.tif 000010